(57)【特許請求の範囲】
【請求項１】
ＭＰＥＧ２ＴＳ方式で伝送されるデジタル番組をインターネットで配信する際に、複数の映像／音声／データのコンポーネントコンテンツから構成されるデジタル番組を、各コンテンツ間のリンク情報を保持してユーザ局へ配信するための送信サーバ装置における番組情報変換方法であって、
前記デジタル番組の番組構成、伝送方法、番組内容、及びコンテンツ間のリンク情報を記述した、ＭＰＥＧ２ＴＳ伝送方式に依存し、各コンテンツを区別するための識別子を各番組の各コンポーネントコンテンツ毎に抽出する識別子抽出過程と、
前記デジタル番組を構成するコンテンツを抽出してインターネット配信用の形式に再符号化し、再符号化されたコンテンツのインターネット上の識別情報であるＵＲＬ及び配信宛先アドレスを付与する識別子付与過程と、
前記識別子抽出過程で抽出された各コンテンツのＭＰＥＧ２ＴＳに依存した識別子と、前記識別子付与過程で付与された各コンテンツのＵＲＬ及び配信宛先アドレスとの対応テーブルを生成する識別子対応テーブル生成過程と、
前記対応テーブルと前記再符号化したコンテンツをユーザ局に配信する番組配信過程と、
を有することを特徴とする番組情報変換方法。
【請求項２】
ＭＰＥＧ２ＴＳ方式で伝送されるデジタル番組をインターネットで配信する際に、複数の映像／音声／データのコンポーネントコンテンツから構成されるデジタル番組を、各コンテンツ間のリンク情報を保持してユーザ局へ配信するための送信サーバ装置であって、
前記デジタル番組の番組構成、伝送方法、番組内容、及びコンテンツ間のリンク情報を記述した、ＭＰＥＧ２ＴＳ伝送方式に依存し、各コンテンツを区別するための識別子を各番組の各コンポーネントコンテンツ毎に抽出する識別子抽出部と、
前記デジタル番組を構成するコンテンツを抽出してインターネット配信用の形式に再符号化し、再符号化されたコンテンツのインターネット上の識別情報であるＵＲＬ及び配信宛先アドレスを付与する識別子付与部と、
前記識別子抽出部で抽出された各コンテンツのＭＰＥＧ２ＴＳに依存した識別子と、前記識別子付与部で付与された各コンテンツのＵＲＬ及び配信宛先アドレスとの対応テーブルを生成する識別子対応テーブル生成部と、
前記対応テーブルと前記再符号化したコンテンツをユーザ局に配信する番組配信部と、を備えたことを特徴とする送信サーバ装置。
【請求項３】
ＭＰＥＧ２ＴＳ方式で伝送されるデジタル番組をインターネットで配信する際に、複数の映像／音声／データのコンポーネントコンテンツから構成されるデジタル番組を、各コンテンツ間のリンク情報を保持してユーザ局へ配信するために番組情報変換するプログラムを、コンピュータが読み取り可能に記録した記録媒体であって、
前記デジタル番組の番組構成、伝送方法、番組内容、及びコンテンツ間のリンク情報を記述した、ＭＰＥＧ２ＴＳ伝送方式に依存し、各コンテンツを区別するための識別子を各番組の各コンポーネントコンテンツ毎に抽出する識別子抽出手順と、
前記デジタル番組を構成するコンテンツを抽出してインターネット配信用の形式に再符号化し、再符号化されたコンテンツのインターネット上の識別情報であるＵＲＬ及び配信宛先アドレスを付与する識別子付与手順と、
前記識別子抽出手順で抽出された各コンテンツのＭＰＥＧ２ＴＳに依存した識別子と、前記識別子付与手順で付与された各コンテンツのＵＲＬ及び配信宛先アドレスとの対応テーブルを生成する識別子対応テーブル生成手順と、
前記対応テーブルと前記再符号化したコンテンツをユーザ局に配信する番組配信手順と、
をコンピュータ上で実行するプログラムを記録したことを特徴とする記録媒体。
【発明の詳細な説明】
【０００１】
【発明の属する技術分野】
本発明は、ＭＰＥＧ２ＴＳ（ＭＰＥＧ２ Transport Stream）方式で伝送されるデジタル番組をインターネット配信する際に、番組の構成情報やコンテンツ間の相互リンク情報を配信するための番組変換方法及び送信サーバ装置及び送信サーバプログラムを記録した記録媒体に関するものである。
【０００２】
【従来の技術】
デジタル放送サービスでは、映像／音声／データ等のマルテメディアコンテンツの集合として番組が構成され、一般視聴者に提供される。デジタル番組コンテンツはＭＰＥＧ２ＴＳを用いて伝送されており、各コンポーネントコンテンツに加え、番組の構成や伝送方法を記述したＰＳＩ（Program Specific Information：番組特定情報）や番組内容を記述したＳＩ（Service Information：番組配列情報）と呼ばれる番組情報も併せて伝送されている。
【０００３】
ＰＳＩやＳＩは、各コンポーネントコンテンツの連携やＥＰＧ（Electric Program Guide：電子番組ガイド）の構築のために、重要な情報であるが、ＭＰＥＧ２ＴＳによる伝送を前提とした形式で符号化されているため、ＩＰネットワーク上での配信や汎用のＰＣブラウザとの親和性が低いものである。従って、ＭＰＥＧ２ＴＳで配信されるデジタル番組をインターネット等のＩＰベースのネットワークで再配信する場合には、各コンポーネントコンテンツ自体の変換に加え、番組情報の変換も必要となる。
【０００４】
ＭＰＥＧ２ＴＳで配信される番組情報をインターネットに親和性の高い記述形式に変換するものがある。この技術では、図４に示すように、ＭＰＥＧ２ＴＳ方式で伝送されるＳＩを放送波から抽出し、独自の変換ルールに基づいてＳＩの情報内容をＨＴＭＬやＸＭＬのマークアップ言語形式にマッピングするものである。ＨＴＭＬやＸＭＬに変換することで、ＰＣ上の汎用プラウザで番組内容情報を利用し、ＥＰＧとして表示することができる。
【０００５】
なお、ＳＩをＨＴＭＬ形式に変換する技術と、ＳＩをＸＭＬ形式に変換する技術のうち、ＸＭＬ変換はＨＴＭＬ変換に比べ、番組内容情報の編集や表示において拡張性がある。
【０００６】
これらの技術は、ＳＩとして伝送される番組内容情報をＰＣ上で容易に利用、表示すること目的としており、ＳＩの情報内容をそのままＨＴＭＬやＸＭＬ形式に変換するものである。
【０００７】
【発明が解決しようとする課題】
ＰＳＩやＳＩ中には、ＥＰＣ表示用の番組内容情報に加え、番組構成の情報やコンテンツ間のリンク情報が記述されている。番組構成やリンク情報は、映像／音声／データ等の各コンテンツを区別する識別子を用いて記述されるが、これらのコンテンツ識別子はＭＰＥＧ２ＴＳ伝送に依存したものである。なお、このような識別子を以下ではＭＰＥＧ２依存識別子と呼ぶ。
【０００８】
したがって、ＳＩの情報内容をそのままＨＴＭＬまたはＸＭＬ形式に変換するのみの従来技術だけでは、デジタル番組のインターネット配信の際に、番組全体の構成やコンテンツ間のリンク指定を記述することが不可能となり、番組を受信したユーザが複数コンテンツの集合として番組を視聴することができないという問題が生じる。
【０００９】
本発明の目的は、上記の問題を解決した番組情報変換方法及び送信サーバ装置及び送信サーバプログラムを記録した記録媒体を提供することにある。
【００１０】
【課題を解決するための手段】
本発明は、送信サーバが、デジタル番組と併せて伝送される番組情報中から、ＭＰＥＧ２ＴＳ伝送時に利用される各要素コンテンツの識別情報を抽出し、インターネット配信時に利用されるコンテンツの識別情報（ＵＲＬや配信宛先アドレス）との対応テーブルを作成し、コンテンツ及びＥＰＧ等の番組情報と併せて配信することにより、インターネット配信時において、要素コンテンツの番組情報の情報内容を書き換えることなく、要素コンテンツの連携情報を配信することができ、受信局におけるデジタル番組の再構成を可能とするもので、以下の方法、装置および記録媒体を特徴とする。
【００１１】
（１）ＭＰＥＧ２ＴＳ方式で伝送されるデジタル番組をインターネットで配信する際に、複数の映像／音声／データのコンポーネントコンテンツから構成されるデジタル番組を、各コンテンツ間のリンク情報を保持してユーザ局へ配信するための送信サーバ装置における番組情報変換方法であって、
前記デジタル番組の番組構成、伝送方法、番組内容、及びコンテンツ間のリンク情報を記述した、ＭＰＥＧ２ＴＳ伝送方式に依存し、各コンテンツを区別するための識別子を各番組の各コンポーネントコンテンツ毎に抽出する識別子抽出過程と、
前記デジタル番組を構成するコンテンツを抽出してインターネット配信用の形式に再符号化し、再符号化されたコンテンツのインターネット上の識別情報であるＵＲＬ及び配信宛先アドレスを付与する識別子付与過程と、
前記識別子抽出過程で抽出された各コンテンツのＭＰＥＧ２ＴＳに依存した識別子と、前記識別子付与過程で付与された各コンテンツのＵＲＬ及び配信宛先アドレスとの対応テーブルを生成する識別子対応テーブル生成過程と、
前記対応テーブルと前記再符号化したコンテンツをユーザ局に配信する番組配信過程と、を有することを特徴とする。
【００１２】
（２）ＭＰＥＧ２ＴＳ方式で伝送されるデジタル番組をインターネットで配信する際に、複数の映像／音声／データのコンポーネントコンテンツから構成されるデジタル番組を、各コンテンツ間のリンク情報を保持してユーザ局へ配信するための送信サーバ装置であって、
前記デジタル番組の番組構成、伝送方法、番組内容、及びコンテンツ間のリンク情報を記述した、ＭＰＥＧ２ＴＳ伝送方式に依存し、各コンテンツを区別するための識別子を各番組の各コンポーネントコンテンツ毎に抽出する識別子抽出部と、
前記デジタル番組を構成するコンテンツを抽出してインターネット配信用の形式に再符号化し、再符号化されたコンテンツのインターネット上の識別情報であるＵＲＬ及び配信宛先アドレスを付与する識別子付与部と、
前記識別子抽出部で抽出された各コンテンツのＭＰＥＧ２ＴＳに依存した識別子と、前記識別子付与部で付与された各コンテンツのＵＲＬ及び配信宛先アドレスとの対応テーブルを生成する識別子対応テーブル生成部と、
前記対応テーブルと前記再符号化したコンテンツをユーザ局に配信する番組配信部と、を備えたことを特徴とする。
【００１３】
（３）ＭＰＥＧ２ＴＳ方式で伝送されるデジタル番組をインターネットで配信する際に、複数の映像／音声／データのコンポーネントコンテンツから構成されるデジタル番組を、各コンテンツ間のリンク情報を保持してユーザ局へ配信するために番組情報変換するプログラムを、コンピュータが読み取り可能に記録した記録媒体であって、
前記デジタル番組の番組構成、伝送方法、番組内容、及びコンテンツ間のリンク情報を記述した、ＭＰＥＧ２ＴＳ伝送方式に依存し、各コンテンツを区別するための識別子を各番組の各コンポーネントコンテンツ毎に抽出する識別子抽出手順と、
前記デジタル番組を構成するコンテンツを抽出してインターネット配信用の形式に再符号化し、再符号化されたコンテンツのインターネット上の識別情報であるＵＲＬ及び配信宛先アドレスを付与する識別子付与手順と、
前記識別子抽出手順で抽出された各コンテンツのＭＰＥＧ２ＴＳに依存した識別子と、前記識別子付与手順で付与された各コンテンツのＵＲＬ及び配信宛先アドレスとの対応テーブルを生成する識別子対応テーブル生成手順と、
前記対応テーブルと前記再符号化したコンテンツをユーザ局に配信する番組配信手順と、をコンピュータ上で実行するプログラムを記録したことを特徴とする。
【００１４】
【発明の実施の形態】
（１）概要の説明
図１を例に取り、デジタル番組のインターネット配信に適した番組情報変換を実現する本実施形態の概要を説明する。
【００１５】
本システムは、
番組構成の記述やコンポーネントコンテンツ間のリンク情報の記述を実現するため、ＭＰＥＧ２ＴＳに依存しないコンテンツ識別子（以下では独立識別子と呼ぶ）を導入し、
送信サーバにおいて、ＭＰＥＧ２ＴＳで伝送されるデジタル番組の構成要素である、映像／音声／データ等のコンポーネントコンテンツにＭＰＥＧ２ＴＳ独立識別子を付与し、
ＰＳＩやＳＩ等で利用されるＭＰＥＧ２ＴＳ依存識別子と、新たに付与したＭＰＥＧ２ＴＳ独立識別子の対応テーブルをコンテンツや番組情報ＸＭＬファイルと併せて伝送し、
ユーザ局において、インターネットを通して受信したコンテンツ及び番組情報ＸＭＬに記述されたＭＰＥＧ２ＴＳ依存識別子を識別子対応テーブルに記述されたＭＰＥＧ２ＴＳ独立識別子に翻訳することにより、番組情報ＸＭＬファイルやデータコンテンツの情報内容を書き換えることなく、番組の構成やリンク関係を保持し、
複数のコンポーネントコンテンツの集合としてのデジタル番組を視聴することができるシステムである。
【００１６】
（２）構成の説明
図１に示すシステム構成において、送信サーバ１、インターネット網２、ユーザ局３から構成される。
【００１７】
送信サーバ１は、デジタル番組を構成する各コンポーネントコンテンツに予め付与されているＭＰＥＧ２ＴＳ依存識別子を抽出する機能と、各コンポーネントコンテンツに新たにＭＰＥＧ２ＴＳ独立識別子を付与する機能と、抽出したＭＰＥＧ２ＴＳ依存識別子と付与したＭＰＥＧ２ＴＳ独立識別子の対応テーブルを作成し、ユーザ局に配信する機能を持つ。
【００１８】
ユーザ局３は、受信したコンテンツや番組情報ＸＭＬファイルに記述されたＭＰＥＧ２ＴＳ依存識別子を、識別子対応テーブルに記述されたＭＰＥＧ２ＴＳ独立識別子に翻訳して、コンテンツを表示、受信する機能を持つ。
【００１９】
図２に送信サーバの構成を示す。送信サーバは、番組受信部１ａ、デマルチプレクサ部１ｂ、映像音声抽出部１ｃ、データ抽出部１ｄ、ＰＳＩ抽出部１ｅ、ＳＩ抽出部１ｆ、映像音声再符号化部１ｇ、ＭＰＥＧ２ＴＳ依存識別子抽出部１ｈ、ＭＰＥＧ２ＴＳ独立識別子付与部１ｉ、識別子対応テーブル生成部１ｊ、ＸＭＬ変換部１ｋ、番組配信部１ｌから構成される。
【００２０】
（３）機能の説明
送信サーバの各機能について説明する。
【００２１】
番組受信部１ａの主な機能は、衛星回線、地上波、ＣＡＴＶ網等でＭＰＥＧ２ＴＳを用いて伝送されるデジタル番組コンテンツを受信する機能で、従来と同じである。
【００２２】
デマルチプレクサ部１ｂの主な機能は、１つの番組ストリームとして多重されている映像／音声／データ／番組情報等を格納したＴＳパケットをパケット識別子によりフィルタリングし、個別のデータとして抽出する機能で、従来と同じである。
【００２３】
映像音声抽出部１ｃの主な機能は、ＴＳパケットに格納された映像音声を抽出し、復号する機能で、従来と同じである。
【００２４】
データ抽出部１ｄの主な機能は、ＴＳパケットに格納されたデータを抽出し、復号する機能で、従来と同じである。
【００２５】
ＰＳＩ抽出部１ｅの主な機能は、ＴＳパケットに格納されたＰＳＩを抽出し、復号する機能で、従来と同じである。
【００２６】
ＳＩ抽出部１ｆの主な機能は、ＴＳパケットに格納されたＳＩを抽出し、復号する機能で、従来と同じである。
【００２７】
映像音声再符号化部１ｇの主な機能は、映像音声抽出部で復号された映像音声をインターネット配信に適した形式に再符号する機能で、従来と同じである。
【００２８】
ＭＰＥＧ２ＴＳ依存識別子抽出部１ｈの主な機能は、ＰＳＩに記述されている番組構成情報から、番組を構成する各コンポーネントコンテンツに付与されているＭＰＥＧ２ＴＳ依存識別子を抽出する機能である。
【００２９】
ＭＰＥＧ２ＴＳ独立識別子付与部１ｉの主な機能は、再符号化された映像音声、データコンテンツにＭＰＥＧ２ＴＳ独立識別子を付与する機能である。
【００３０】
識別子対応テーブル生成部１ｊの主な機能は、抽出したＭＰＥＧ２ＴＳ依存識別子と新たに付与したＭＰＥＧ２ＴＳ独立識別子の対応テーブルを生成する機能である。
【００３１】
ＸＭＬ変換部１ｋの主な機能は、ＰＳＩやＳＩに記述されている番組内容に関する情報をＸＭＬ記述にマッピングし、番組情報ＸＭＬファイルを生成する機能である。
【００３２】
番組配信部１ｌの主な機能は、ユーザからの配信要求や予め予約された配信スケジュールに基づいて、映像音声、データ、番組情報ＸＭＬファイル、識別子対応テーブルを配信する機能である。
【００３３】
（４）動作の説明
図３に本実施形態における送信サーバの処理フローを示す。
【００３４】
（Ｓ１）送信サーバは、ＭＰＥＧ２ＴＳ形式で伝送されるデジタル番組を受信する。
【００３５】
（Ｓ２，Ｓ３，Ｓ４）受信したデジタル番組から、番組の構成要素である映像、音声、データからなるコンテンツと、ＰＳＩおよびＳＩを抽出する。
【００３６】
（Ｓ２）映像、音声、データからなるコンテンツをインターネット配信に適した形式に再符号する。
【００３７】
（Ｓ５）再符号した各コンポーネントコンテンツにＭＰＥＧ２ＴＳ独立識別子を付与する。
【００３８】
（Ｓ６）ＰＳＩからＭＰＥＧ２ＴＳ伝送時に付与されているＭＰＥＧ２ＴＳ依存識別子を抽出する。
【００３９】
（Ｓ７）付与したＭＰＥＧ２ＴＳ独立識別子と抽出したＭＰＥＧ２ＴＳ依存識別子の対応テーブルを生成する。
【００４０】
（Ｓ８）ＰＳＩとＳＩの情報内容をＸＭＬ記述形式に変換し、番組情報ＸＭＬファイルを生成する。
【００４１】
（Ｓ９）映像音声、データ、番組情報ＸＭＬファイル、識別子対応テーブルをユーザ要求や予め設定されら配信スケジュールに応じて配信する。
【００４２】
以上の動作により、ＭＰＥＧ２ＴＳで配信されるデジタル番組をインターネット配信する場合に、番組情報ＸＭＬファイルやデータコンテンツの情報内容を書き換えることなく、番組の構成やリンク関係を保持し、複数のコンポーネントコンテンツの集合としてのデジタル番組を送信することができる。
【００４３】
なお、本発明は、図１及び図２に示した装置又は図３に示した手順の一部又は全部をコンピュータプログラムで記載してそれを実行できるようにし、それをコンピュータが読み取り可能な記録媒体、例えば、ＦＤ（フロッピーディスク：商標登録）や、ＭＯ、ＲＯＭ、メモリカード、ＣＤ、ＤＶＤ、リムーバブルディスクなどに記録して提供し、配布することが可能である。
【００４４】
【発明の効果】
本発明によれば、ＭＰＥＧ２ＴＳで伝送される映像／音声／データ等の複数のコンポーネントコンテンツから構成されるデジタル番組をインターネット配信する送信サーバが、ＭＰＥＧ２ＴＳ伝送時に利用される各コンポーネントコンテンツを識別する識別子とインターネット配信時に各コンポーネントコンテンツに割り振る識別子との対応テーブルを生成し、コンポーネントコンテンツ及び番組情報ファイルと併せてユーザ局に配信することにより、複数コンポーネントコンテンツの連携関係を保持した状態でデジタル番組を配信することができる。
【図面の簡単な説明】
【図１】本発明のシステムの構成例。
【図２】本発明の実施形態における送信サーバの構成。
【図３】本発明の実施形態における送信サーバの処理フロー。
【図４】従来の番組情報の変換方式。
【符号の説明】
１…送信サーバ
２…インターネット
３…ユーザ局
１ａ…番組受信部
１ｂ…デマルチプレクサ
１ｃ…映像音声抽出部
１ｄ…データ抽出部
１ｅ…ＰＳＩ抽出部
１ｆ…ＳＩ抽出部
１ｇ…映像音声再符号化部
１ｈ…ＭＰＥＧ２ＴＳ依存識別子抽出部
１ｉ…ＭＰＥＧ２ＴＳ独立識別子抽出部
１ｊ…識別子対応テーブル生成部
１ｋ…ＸＭＬ変換部
１ｌ…番組配信部
【図１】
0003895953.tif 000002
【図２】
0003895953.tif 000003
【図３】
0003895953.tif 000004
【図４】
0003895953.tif 000005